【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
複数の元画像の中から検出された複数の検出顔画像のうちの少なくとも１つ以上の顔画像を第１の顔画像表示領域に表示させる第１の表示制御手段，
上記第１の表示制御手段により上記第１の顔画像表示領域に表示させられた上記少なくとも１つ以上の顔画像の中から第１の顔画像指定手段によって指定された顔画像を，指定された顔画像に類似する顔画像を探すのに利用する特定顔画像と決定する第１の特定顔画像決定手段，
上記複数の検出顔画像のそれぞれの検出顔画像と上記第１の特定顔画像決定手段によって決定された特定顔画像との類似度と，プリントするのに適した程度を表す好適度とから上記複数の検出顔画像について算出された優先度であって，所定数番目までの上記優先度をもつ上記検出顔画像を類似顔画像候補として上記第２の顔画像表示領域に表示させる第２の表示制御手段，
上記第２の表示制御手段により上記第２の顔画像表示領域に表示させられた顔画像の中から第２の顔画像指定手段によって指定された顔画像も，上記特定顔画像と決定する第２の特定顔画像決定手段，
上記複数の検出顔画像から，上記第１の顔画像指定手段によって指定された顔画像および上記第２の顔画像表示領域に表示された顔画像を除いた顔画像を，新たな上記複数の検出顔画像とする第１の更新手段，ならびに，
上記第２の表示制御手段による処理および上記第２の特定顔画像決定手段による処理を繰り返させる制御手段，
を備えた画像表示制御装置。
【請求項２】
上記第２の顔画像指定手段によって指定された顔画像を，第３の顔画像表示領域に表示させる第３の表示制御手段，
をさらに備えた請求項１に記載の画像表示制御装置。
【請求項３】
上記優先度は，
上記第１の特定顔画像決定手段によって決定された特定顔画像および上記第２の特定顔画像決定手段によって決定された特定顔画像のうち少なくとも１つ以上の特定顔画像との類似度と，上記好適度とから，上記複数の検出顔画像について算出されたものである，
請求項１または２に記載の画像表示制御装置。
【請求項４】
上記第２の表示制御手段は，
上記検出顔画像を，上記優先度の高い順に，上記第２の顔画像表示領域に表示させるものである，
請求項１から３のうちいずれか一項に記載の画像表示制御装置。
【請求項５】
上記第１の顔画像指定手段または上記第２の顔画像指定手段を用いて顔画像を指定した第１のユーザと異なる第２のユーザによってすでに指定された顔画像が，上記第１の顔画像指定手段または上記第２の顔画像指定手段を用いて上記第１のユーザによって指定されたことに応じて警告する第１の警告手段，
をさらに備えた請求項１から４のうちいずれか一項に記載の画像表示制御装置。
【請求項６】
上記第１の顔画像指定手段または上記第２の顔画像指定手段を用いて顔画像を指定した上記第１のユーザと異なる上記第２のユーザによってすでに指定された顔画像についての上記優先度を下げる第１の優先度補正手段，
をさらに備えた請求項１から５のうちいずれか一項に記載の画像表示制御装置。
【請求項７】
上記複数の検出顔画像から，上記第１の顔画像指定手段または上記第２の顔画像指定手段を用いて顔画像を指定した第１のユーザと異なる第２のユーザによってすでに指定された顔画像を除いた顔画像を，新たな上記複数の検出顔画像とする第２の更新手段，
をさらに備えた請求項１から６のうち，いずれか一項に記載の画像表示制御装置。
【請求項８】
上記第１の顔画像指定手段および上記第２の顔画像指定手段のうち少なくとも一方によって指定された少なくとも２つの顔画像が同一の元画像から検出されたものであることに応じて警告する第２の警告手段，
をさらに備えた請求項１から７のうち，いずれか一項に記載の画像表示制御装置。
【請求項９】
上記特定顔画像として決定した顔画像が検出された元画像に含まれる顔画像のうち，上記特定顔画像として決定した顔画像を除く顔画像についての上記優先度を下げる第２の優先度補正手段，
をさらに備えた請求項１から８のうち，いずれか一項に記載の画像表示制御装置。
【請求項１０】
上記特定顔画像として決定した顔画像が検出された元画像に含まれる顔画像のうち，上記特定顔画像として決定した顔画像を除く顔画像を，上記複数の顔画像から削除する削除手段，
をさらに備えた請求項１から８のうち，いずれか一項に記載の画像表示制御装置。
【請求項１１】
同一画像に含まれる複数の顔画像については，上記好適度が低いほど，上記優先度を下げる第３の優先度補正手段，
請求項１から10のうち，いずれか一項に記載の画像表示制御装置。
【請求項１２】
上記第２の表示制御手段は，
前回の上記画像表示制御装置の処理時に決定された特定顔画像との類似度と，上記好適度とから上記複数の検出顔画像について算出された優先度であって，上記所定数番目までの優先度をもつ検出顔画像を上記類似顔画像候補として上記第２の顔画像表示領域に表示させるものである，
請求項１から11のうち，いずれか一項に記載の画像表示制御装置。
【請求項１３】
複数の元画像を入力する元画像入力手段，および
上記元画像入力手段を用いて入力された複数の元画像から顔画像を検出し，上記複数の検出顔画像を得る顔画像検出手段，および，
上記好適度を，上記顔画像検出手段によって検出された複数の検出顔画像のそれぞれの顔画像について算出する好適度算出手段，
をさらに備えた請求項１から12のうち，いずれか一項に記載の画像表示制御装置。
【請求項１４】
上記第１の表示制御手段は，
複数の顔が写っている集合画像から検出された複数の検出顔画像のうち，少なくとも１つ以上の顔画像を第１の顔画像表示領域に表示させるものである，
請求項１から13のうち，いずれか一項に記載の画像表示制御装置。
【請求項１５】
上記第１の更新手段によって新たな上記複数の検出顔画像とされた上記複数の検出顔画像に含まれている顔画像のうち，上記第２の顔画像指定手段によって指定されるであろう顔画像の予想枚数を算出する予想枚数算出手段，および
上記予想枚数算出手段によって算出された予想枚数を表示させる第４の表示制御手段，
をさらに備えた請求項１に記載の画像表示制御装置。
【請求項１６】
上記予想枚数算出手段によって算出された予想枚数が一定枚数以下であることに応じて警告させる第３の警告手段，
をさらに備えた請求項15に記載の画像表示制御装置。
【請求項１７】
上記第３の顔画像表示領域に表示されている顔画像を含む元画像または元画像のサムネイル画像に印を付けて表示させる第５の表示制御手段，
をさらに備えた請求項２から15のうち，いずれか一項に記載の画像表示制御装置。
【請求項１８】
上記特定顔画像に印を付けて，上記特定顔画像が検出された元画像の周囲に表示する第６の表示制御手段，
をさらに備えた請求項１から17のうち，いずれか一項に記載の画像表示制御装置。
【請求項１９】
学年またはクラスを入力する入力手段をさらに備え，
上記第１の表示制御手段は，
上記入力手段によって入力された学年またはクラスに属する人物から得られた上記複数の検出顔画像を上記第１の顔画像表示領域に表示するものである，
請求項１から18のうち，いずれか一項に記載の画像表示制御装置。
【請求項２０】
上記複数の検出顔画像のうち，しきい値以上の類似度を有する２以上の検出顔画像をグループ化するグループ化手段をさらに備え，
上記第２の表示制御手段は，
上記グループ化手段によってグループ化された２以上の検出顔画像をグループごとに，上記第２の顔画像表示領域に表示させるものである，
請求項１から19のうち，いずれか一項に記載の画像表示制御装置。
【請求項２１】
年齢を入力する年齢入力手段をさらに備え，
上記グループ化手段は，
上記年齢入力手段から入力された年齢が低いほど上記しきい値を上げるものである，
請求項20に記載の画像表示制御装置。
【請求項２２】
上記特定顔画像のうち，プリント注文された顔画像の特徴をユーザごとに記憶する特徴記憶手段をさらに備え，
上記特徴記憶手段に記憶されている特徴のうち，上記画像表示制御装置を操作しているユーザに対応した特徴をもつ顔画像の上記優先度を上げる第４の優先度補正手段，
をさらに備えた請求項１に記載の画像表示制御装置。
【請求項２３】
上記第５の表示制御手段は，
上記第３の顔画像表示領域に表示されている顔画像の部分に印を付けて，上記第３の顔画像表示領域に表示されている顔画像を含む元画像またはサムネイル元画像を表示させるものである，
請求項17に記載の画像表示制御装置。
【請求項２４】
上記第１の更新手段によって得られた新たな上記複数の検出顔画像のうちのそれぞれの顔画像を含む元画像である未確認元画像または元画像のサムネイル元画像である未確認サムネイル元画像に未確認であることを示す印を付けて表示させる，あるいは上記未確認顔画像または上記未確認サムネイル元画像のうち，新たな上記複数の検出顔画像に含まれている顔画像に未確認であることを示す印を付けて表示させる第７の表示制御手段，
をさらに備えた請求項１に記載の画像表示制御装置。
【請求項２５】
上記第１の更新手段によって得られた新たな上記複数の検出顔画像に含まれる顔画像を，上記顔画像が検出された元画像の周囲に印を付けて表示させる第８の表示制御手段，
をさらに備えた請求項１に記載の画像表示制御装置。
【請求項２６】
第１の表示制御手段が，複数の元画像の中から検出された複数の検出顔画像のうちの少なくとも１つ以上の顔画像を第１の顔画像表示領域に表示させ，
第１の特定顔画像決定手段が，上記第１の表示制御手段により上記第１の顔画像表示領域に表示させられた上記少なくとも１つ以上の顔画像の中から第１の顔画像指定手段によって指定された顔画像を，指定された顔画像に類似する顔画像を探すのに利用する特定顔画像と決定し，
第２の表示制御手段が，上記複数の検出顔画像のそれぞれの検出顔画像と上記第１の特定顔画像決定手段によって決定された特定顔画像との類似度と，プリントするのに適した程度を表す好適度とから上記複数の検出顔画像について算出された優先度であって，所定数番目までの上記優先度をもつ上記検出顔画像を類似顔画像候補として上記第２の顔画像表示領域に表示させ，
第２の特定顔画像決定手段が，上記第２の表示制御手段により上記第２の顔画像表示領域に表示させられた顔画像の中から第２の顔画像指定手段によって指定された顔画像も，上記特定顔画像と決定し，
更新手段が，上記複数の検出顔画像から，上記第１の顔画像指定手段によって指定された顔画像および上記第２の顔画像表示領域に表示された顔画像を除いた顔画像を，新たな上記複数の検出顔画像とし，
制御手段が，上記第２の表示制御手段による処理および上記第２の特定顔画像決定手段による処理を繰り返させる，
画像表示制御方法。
【請求項２７】
画像表示制御装置のコンピュータを制御するプログラムであって，
複数の元画像の中から検出された複数の検出顔画像のうちの少なくとも１つ以上の顔画像を第１の顔画像表示領域に表示させ，
上記第１の顔画像表示領域に表示させられた上記少なくとも１つ以上の顔画像の中から第１の顔画像指定手段によって指定された顔画像を，指定された顔画像に類似する顔画像を探すのに利用する特定顔画像と決定させ，
複数の検出顔画像のそれぞれの検出顔画像と決定された特定顔画像との類似度と，プリントするのに適した程度を表す好適度とから上記複数の検出顔画像について算出された優先度であって，所定数番目までの上記優先度をもつ上記検出顔画像を類似顔画像候補として上記第２の顔画像表示領域に表示させ，
上記第２の顔画像表示領域に表示させられた顔画像の中から指定された顔画像も，上記特定顔画像と決定させ，
上記複数の検出顔画像から，上記第１の顔画像指定手段によって指定された顔画像および上記第２の顔画像表示領域に表示された顔画像を除いた顔画像を，新たな上記複数の検出顔画像とさせ，
上記所定数番目までの上記優先度をもつ上記検出顔画像を類似顔画像候補として上記第２の顔画像表示領域に表示させる処理，および上記第２の顔画像表示領域に表示させられた顔画像の中から指定された顔画像も，上記特定顔画像と決定させる処理を繰り返させるように画像表示制御装置のコンピュータを制御するコンピュータが読み取り可能なプログラム。
【請求項２８】
請求項27に記載のプログラムを格納した記録媒体。